(57)【要約】【課題】  膨張展開用ガスに対して高い強度を確保しながらも、ディフレクタひいては装置全体の軽量化および小型化を達成することが可能なエアバッグ装置を提供することを目的とする。【解決手段】  本発明にかかるエアバッグ装置３００の代表的な構成は、膨張展開用ガスを供給するインフレータ３２０と、インフレータが挿入される挿入口３１２を有し、インフレータからの膨張展開用ガスによって膨張展開するエアバッグ３１０と、インフレータのガス噴出口３２２の一部を覆うようにエアバッグ内に配置され、ガス噴出口から噴出される膨張展開用ガスを整流する布製のディフレクタ３３０と、を備え、ディフレクタは、インフレータに面し、インフレータから噴出する前記膨張展開用ガスがディフレクタに最初に衝突する部分に設けられる金属製のメッシュ３３４を備えていることを特徴とする。【選択図】図４
2013094545.tif 000002
【特許請求の範囲】
【請求項１】
膨張展開用ガスを供給するインフレータと、
前記インフレータが挿入される挿入口を有し、該インフレータからの膨張展開用ガスによって膨張展開するエアバッグと、
前記インフレータのガス噴出口の一部を覆うように前記エアバッグ内に配置され、該ガス噴出口から噴出される前記膨張展開用ガスを整流する布製のディフレクタと、
を備え、
前記ディフレクタは、
前記インフレータに面し、該インフレータから噴出する前記膨張展開用ガスが該ディフレクタに最初に衝突する部分に設けられる金属製のメッシュを備えていることを特徴とするエアバッグ装置。
【請求項２】
前記金属製のメッシュの前記インフレータに面する側には、その面を被覆するカバーが設けられていることを特徴とする請求項１に記載のエアバッグ装置。
【請求項３】
前記カバーは、前記膨張展開用ガスで溶融することを特徴とする請求項２に記載のエアバッグ装置。
【請求項４】
前記カバーには、少なくとも前記金属製のメッシュの一部が露出している開口部を備えることを特徴とする請求項２または３に記載のエアバッグ装置。
【請求項５】
前記カバーは、前記布製のディフレクタと同じ材質で形成されていることを特徴とする請求項２から４のいずれか１項に記載のエアバッグ装置。
【請求項６】
前記ディフレクタは、前記エアバッグに支持され、該ディフレクタの基体となる布製のソックを備えていることを特徴とする請求項１から５のいずれか１項に記載のエアバッグ装置。
【請求項７】
前記エアバッグはカーテンエアバッグであることを特徴とする請求項１から６のいずれか１項に記載のエアバッグ装置。
【請求項８】
膨張展開用ガスを供給するインフレータと、
前記インフレータが挿入される挿入口を有し、該インフレータからの膨張展開用ガスによって膨張展開するエアバッグと、
前記インフレータのガス噴出口を被覆するように前記エアバッグ内に配置され、該ガス噴出口から噴出される前記膨張展開用ガスを整流するディフレクタと、
を備え、
前記ディフレクタは、
前記エアバッグに支持され、該ディフレクタの基体となる布製のソックと、
前記ソックの前記インフレータ側の面のうち、少なくとも前記ガス噴出口の周囲の領域に設けられる金属製のメッシュと、
を有することを特徴とするエアバッグ装置。
【発明の詳細な説明】
【技術分野】
【０００１】
本発明は、車両における事故発生時に膨張展開して乗員を保護するエアバッグ装置に関する。
【背景技術】
【０００２】
エアバッグ装置には、折り畳みや巻回等によって小さくまとめられた状態のエアバッグが収容されていて、事故発生時にインフレータ（ガス発生器）から供給される膨張展開用ガスによってかかるエアバッグが膨張展開する。エアバッグ装置（エアバッグ）には設置箇所や用途に応じて様々な種類があり、例えばドア上方に設置されるカーテンエアバッグは、側面衝突によってロールオーバが発生した際に、乗員の頭部が窓に衝突したり乗員が窓から放り出されたりするのを防止している。【０００３】
エアバッグ装置には、インフレータからエアバッグに供給される膨張展開用ガスの整流を目的としてディフレクタ（ディフューザとも称される。）が設けられている。またディフレクタは、膨張展開用ガスによるエアバッグの損傷を防ぐ役割も担っている。例えば特許文献１では、ガス発生器（インフレータ）を包囲する管状のディフューザを備え、それらの両方がガスバッグ（エアバッグ）の内部に配置されたガスバッグ保護装置（エアバッグ装置）が開示されている。
【先行技術文献】
【特許文献】
【０００４】
【特許文献１】特開平８−４０１８２号公報
【発明の概要】
【発明が解決しようとする課題】
【０００５】
ディフレクタは一般に金属板を加工して形成される。これは、インフレータから噴出される高温且つ高圧（流速の速い）膨張展開用ガスに対して高い強度（熱遮断性、耐火性）を確保し、エアバッグを好適に保護するためである。しかしながら、金属板は重量が重いため、ディフレクタひいてはエアバッグ装置の重量が増大しがちである。また金属板は柔軟性に乏しいため変形しづらく、エアバッグ装置の小型化を阻害する要因となっていた。このような課題を解決するために、近年では布製のディフレクタも提案されているが、膨張展開用ガスに対する強度を確保するためには布を、例えば１０枚前後にするなど、何重にも重ね合わせなくてはならない。このため、結局のところエアバッグ装置の軽量化や小型化に対する効果は乏しい。【０００６】
本発明は、このような課題に鑑み、膨張展開用ガスに対して高い強度を確保しながらも、ディフレクタひいては装置全体の軽量化および小型化を達成することが可能なエアバッグ装置を提供することを目的とする。
【課題を解決するための手段】
【０００７】
上記課題を解決するために、本発明にかかるエアバッグ装置の代表的な構成は、膨張展開用ガスを供給するインフレータと、インフレータが挿入される挿入口を有し、インフレータからの膨張展開用ガスによって膨張展開するエアバッグと、インフレータのガス噴出口の一部を覆うようにエアバッグ内に配置され、ガス噴出口から噴出される膨張展開用ガスを整流する布製のディフレクタと、を備え、ディフレクタは、インフレータに面し、インフレータから噴出する膨張展開用ガスがディフレクタに最初に衝突する部分に設けられる金属製のメッシュを備えていることを特徴とする。【０００８】
上記構成によれば、ディフレクタにおいて、インフレータから噴出する膨張展開用ガスが最初に衝突する領域では、そこに設けられた金属製のメッシュにより、従来の金属板と同様に膨張展開用ガスに対して高い強度を確保することができる。特にメッシュ状であると、単なる金属板を用いた場合に比して、膨張展開用ガスとの接触面積が増大するため熱吸収効率を高めることができ、優れた熱遮断性を得ることが可能である。しかもメッシュは金属板よりも軽量である。このため、上記構成によれば、膨張展開用ガスに対して高い強度を確保しつつ、ディフレクタひいては装置全体の軽量化および小型化を達成可能である。【０００９】
またメッシュは、金属板と異なり柔軟性を有するためエアバッグに追従可能である。これにより、エアバッグを折り畳んだり巻き回したりする際にディフレクタも同様に折り畳まれたり巻き回されるたりするため、ディフレクタが嵩張ることがない。したがって、エアバッグ装置の小型化を図ることが可能となる。【００１０】
更に、メッシュは、膨張展開用ガスに含まれる残渣（ミストとも称される）を吸着し、取り除くことが可能である。一般にインフレータの内部にはフィルタが設けられていて、通常はこのフィルタによって大部分の残渣が除去されるが、除去しきれなかった残渣がエアバッグの展開時や展開後の収縮時に出てくることがある。そこで上述したように膨張展開用ガスが最初に衝突する領域にメッシュを設けることにより、フィルタにて除去しきれなかった残渣がかかるメッシュの細かい隙間に捕捉される。これにより、高温の膨張展開用ガスによるディフレクタへのダメージを抑制しつつ、エアバッグの展開時や展開後の収縮時に発生する残渣の量を減少させることが可能となる。【００１１】
上記金属製のメッシュのインフレータに面する側には、その面を被覆するカバーが設けられているとよい。これにより、ディフレクタとカバーとの間に金属製のメッシュを容易に収容することでき、ディフレクタに直接縫い付けることなくメッシュを設けることが可能となる。【００１２】
上記カバーは、膨張展開用ガスで溶融するとよい。また上記カバーには、少なくとも金属製のメッシュの一部が露出している開口部を備えるとよい。これにより、インフレータに面する側において、メッシュが露出しやすくなる、またはメッシュが一部露出した状態となるため、上述した膨張展開用ガスに含まれる残渣の捕捉効果を高めることが可能となる。また上記カバーは、布製のディフレクタと同じ材質で形成されているとよい。これにより、資材を統一し、コストの削減を図ることが可能である。【００１３】
上記ディフレクタは、エアバッグに支持され、ディフレクタの基体となる布製のソックを備えているとよい。上述したように、膨張展開用ガスが最初に衝突する領域にメッシュを設けることにより、その領域において膨張展開用ガスに対する高い強度が確保される。したがって、ディフレクタにおいて、その領域以外の部分を布製のソックにより構成することができ、この布においても何重にも重ねる必要がない。したがって、ディフレクタひいては装置全体の大幅な軽量化を達成することが可能である。更に、メッシュであれば、布製のソックに縫付可能であるため製造が容易であり、製造工程の簡略化も可能である。【００１４】
上記課題を解決するために、本発明にかかるエアバッグ装置の他の構成は、膨張展開用ガスを供給するインフレータと、インフレータが挿入される挿入口を有し、インフレータからの膨張展開用ガスによって膨張展開するエアバッグと、インフレータのガス噴出口を被覆するようにエアバッグ内に配置され、ガス噴出口から噴出される膨張展開用ガスを整流するディフレクタと、を備え、ディフレクタは、エアバッグに支持され、ディフレクタの基体となる布製のソックと、ソックのインフレータ側の面のうち、少なくともガス噴出口の周囲の領域に設けられる金属製のメッシュと、を有することを特徴とする。かかる構成によっても、上述した効果を得ることが可能である。
【発明の効果】
【００１５】
本発明によれば、膨張展開用ガスに対して高い強度を確保しながらも、ディフレクタひいては装置全体の軽量化および小型化を達成することが可能なエアバッグ装置を提供することが可能となる。
【図面の簡単な説明】
【００１６】
【図１】本発明にかかるエアバッグ装置の第１の実施形態であるエアバッグ装置の概略を例示する図である。
【図２】図１の詳細図である。
【図３】他の構成のディフレクタを例示する図である。
【図４】本発明にかかるエアバッグ装置の第２の実施形態であるエアバッグ装置の概略を例示する図である。
【符号の説明】
【００１７】
１００…エアバッグ装置、１１０…エアバッグ、１１２…挿入口、１２０…インフレータ、１２２…ガス噴出口、１３０…ディフレクタ、１３２…ソック、１３４…メッシュ、１３６…ファブリック、１３７…開口部、２３０…ディフレクタ、２３４…メッシュ、２３６…ファブリック、３００…エアバッグ装置、３１０…エアバッグ、３１２…挿入口、３２０…インフレータ、３２２…ガス噴出口、３２４…リテーナ、３２６ａ…取付ボルト、３２６ｂ…取付ボルト、３２８…補強布、３３０…ディフレクタ、３３４…メッシュ、３３６…カバー
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
（第１の実施形態）
図１は、本発明にかかるエアバッグ装置の第１の実施形態であるエアバッグ装置１００の概略を例示する図であり、図１（ａ）はエアバッグ装置１００の全体図であり、図１（ｂ）は図１（ａ）のＡ円内拡大図である。図２は、図１の詳細図であり、図２（ａ）は図１（ｂ）に示すディフレクタ１３０の展開図であり、図２（ｂ）は図１（ｂ）のＢ−Ｂ断面図である。なお、以下に説明する実施形態では、エアバッグ装置１００として、ドア上方のルーフサイドレール（不図示）から膨張展開し、車両の横転時に乗員の頭部や上半身の側部を保護するカーテンエアバッグを例示するが、これに限定するものではない。また理解を容易にするために、図２（ａ）では、後述するファブリック１３６を透過状態で図示している。
【００２０】
車両には、ステアリングホイールから膨張展開して運転席に着座している乗員の頭部および上半身を保護する運転席用エアバッグ、インストルメントパネルから膨張展開して助手席に着座している乗員の頭部および上半身を保護する助手席用エアバッグ、シートのドア側から膨張展開して側面衝突から乗員の上半身を保護するサイドエアバッグ、インストルメントパネルの下部から膨張展開して乗員の膝を保護する膝用エアバッグ、グローブボックスから膨張展開して乗員の膝を保護するグローブボックスニーエアバッグ、サイドドアから上方へ向かってカーテン状に膨張展開して乗員の上半身の側部を保護するドアマウントインフレータブルカーテンエアバッグ等の多くのエアバッグ装置（不図示）が搭載されているが、それらのエアバッグ装置に対しても当然にして本発明を適用可能である。
【００２１】
図１（ａ）に例示するように、エアバッグ装置１００は、車両（不図示）の事故発生時に膨張展開して乗員を保護するエアバッグ１１０を備える。図１では、折り畳まれたり巻き回されたりする前の状態のエアバッグ１１０が例示されている。図１に示す状態のエアバッグ１１０は、通常時には折り畳まれたり巻き回されたりした状態で車体に収容され、事故発生時には図１に示すように展開し、この状態から更に膨張する。
【００２２】
エアバッグ１１０は、例えば、その表面を構成する基布を表裏で縫製したり、ＯＰＷ（One-Piece Woven）を用いて紡織したりすることにより袋状に形成される。エアバッグ１１０には、ガス発生装置であるインフレータ１２０が挿入される挿入口１１２が設けられていて、このインフレータ１２０から供給される膨張展開用ガスによってエアバッグ１１０が膨張展開する。
【００２３】
上記インフレータ１２０からの膨張展開用ガスの整流、およびかかる膨張展開用ガスからのエアバッグ１１０の防護を目的として、エアバッグ装置１００にはディフレクタ１３０が設けられている。図１（ｂ）に例示するように、ディフレクタ１３０は、インフレータ１２０のガス噴出口１２２を被覆するようにエアバッグ１１０内に配置され、ガス噴出口１２２から噴出される膨張展開用ガスを整流する。
【００２４】
図２（ａ）に示すように、ディフレクタ１３０は、エアバッグ１１０に支持される布製のソック１３２が基体となっていて、このソック１３２には、図２（ｂ）に例示するように、インフレータ１２０側の面のうち、ガス噴出口１２２の周囲の領域に金属製のメッシュ１３４が設けられている。かかる金属としてはスチールを例示することができる。これにより、ディフレクタ１３０において、ガス噴出口１２２の周囲の領域には、従来の金属板と同様に膨張展開用ガスに対して高い強度が付与される。特に本実施形態のように金属板ではなくメッシュ１３４を用いることにより、単なる金属板を用いた場合に比して、膨張展開用ガスとの接触面積が増大するため、熱吸収効率ひいては熱遮断性の向上を図ることができる。
【００２５】
またメッシュ１３４は同素材の金属板よりも軽量であり、且つメッシュ１３４によってガス噴出口１２２の周囲の領域において膨張展開用ガスに対する高い強度が確保されるため、その領域以外を布製のソック１３２により構成することができる。そして、このガス噴出口１２２の周囲の領域以外のソック１３２は、かかる領域ほどの膨張展開用ガスに対する強度は求められないため、何重ものの布を重ねる必要がない。したがって、ディフレクタ１３０ひいてはエアバッグ装置１００全体の大幅な軽量化を達成することが可能である。
【００２６】
更に、従来の金属板であると剛性が高いため、エアバッグ１１０を折り畳んだり巻き回したりする際であってもディフレクタ１３０は成形時の形状が保たれていた。これに対し、本実施形態のように金属をメッシュ状（メッシュ１３４）にすることにより柔軟性が付与されるためエアバッグ１１０に追従可能である。したがって、エアバッグ１１０を折り畳んだり巻き回したりした際に、エアバッグ１１０に追従してディフレクタ１３０も同様に折り畳まれたり巻き回されるたりする。このため、ディフレクタ１３０が嵩張ることがなく、エアバッグ装置１００の小型化を図ることが可能となる。
【００２７】
加えて、メッシュ１３４であれば布製のソック１３２に縫付可能であるため製造が容易であり、製造工程の簡略化も可能である。なお、本実施形態においては、図２（ｂ）に示すように、ディフレクタ１３０においてメッシュ１３４の内側を更にファブリック１３６によって被覆している。ただし、これに限定するものではなく、ファブリック１３６の有無は必要に応じて適宜設定することが可能である。また上述したメッシュ１３４の厚みは、ガス噴出口１２２の周囲の領域に求められる強度に応じて任意に定めればよく、例えば３ｍｍ前後とすれば十分な効果を得ることができる。
【００２８】
図２（ｃ）は、ファブリック１３６の他の構成を例示する図である。図２（ｃ）に示すように、ファブリック１３６、すなわちメッシュ１３４のインフレータ１２０に面する側においてその面を被覆するカバーに、メッシュ１３４の一部が露出するよう、開口部１３７が設けられている。これによれば、インフレータ１２０に面する側においてメッシュ１３４が一部露出した状態となるため、後述する残渣の捕捉効果を高めることが可能である。
【００２９】
（ディフレクタの他の構成）
図３は、他の構成のディフレクタ２３０を例示する図であり、図２（ｂ）に相当する断面図である。なお、上述したディフレクタ１３０と同一の機能や構成を有する要素については、同一の符号を付して説明を省略する。
【００３０】
上記説明したディフレクタ１３０では、メッシュ１３４は、ディフレクタ１３０（ソック１３２）においてガス噴出口１２２の周囲の領域のみに設けられていた。これに対し、図３に示すディフレクタ２３０では、ソック１３２の内側の全面にメッシュ２３４が設けられていて、このメッシュ２３４はファブリック２３６によって被覆されている。このような構成であっても、上述したディフレクタ１３０と同様の効果を得ることが可能である。
【００３１】
（第２の実施形態）
図４は、本発明にかかるエアバッグ装置の第２の実施形態であるエアバッグ装置３００の概略を例示する図であり、図４（ａ）はエアバッグ装置３００の断面図であり、図４（ｂ）は図４（ａ）のディフレクタ近傍の斜視図である。なお、第１実施形態において詳述した構成要素については、重複を避けるため詳細説明を省略する。また、以下に説明する実施形態では、エアバッグ装置３００として、フロンタルエアバッグ（上述した助手席用エアバッグや運転席用エアバッグ）を例示するが、これに限定するものではない。
【００３２】
図４（ａ）に例示するエアバッグ装置３００はエアバッグ３１０を有し、かかるエアバッグ３１０は、挿入口３１２に挿入されたインフレータ３２０から供給される膨張展開用ガスによって膨張展開する。本実施形態では、インフレータ３２０としてディスク型インフレータを例示していて、インフレータ３２０は、金属製のリテーナ３２４に固定され、かかるリテーナ３２４を介して、取付ボルト３２６ａ・３２６ｂによってエアバッグ３１０および後述する布製のディフレクタ（以下、ディフレクタ３３０と称する）に取り付けられる。なお、本実施形態においては、リテーナ３２４とディフレクタ３３０との間に補強布３２８を設けているが、これに限定するものではなく、補強布３２８は必要に応じて設ければよい。
【００３３】
図４（ａ）に例示するように、インフレータ３２０には複数のガス噴出口３２２が設けられていて、かかるガス噴出口３２２から膨張展開用ガスが噴出する。本実施形態ではエアバッグ３１０内において（図４（ａ）参照）、図４（ｂ）に例示するようにインフレータ３２０のガス噴出口３２２の一部を覆うようにディフレクタ３３０が配置されていて、このディフレクタ３３０によって、ガス噴出口３２２から噴出される膨張展開用ガスが整流される。
【００３４】
本実施形態の特徴として、ディフレクタ３３０は、インフレータ３２０に面し、インフレータ３２０から噴出する膨張展開用ガスがディフレクタ３３０に最初に衝突する部分に金属製のメッシュ（以下、メッシュ３３４と称する）を備えている。これにより、ディフレクタ３３０において、インフレータ３２０から噴出する膨張展開用ガスが最初に衝突する領域で、膨張展開用ガスに対して高い強度を確保することができる。また本実施形態においても、第１実施形態で詳述したようにメッシュ３３４による優れた熱遮断性や柔軟性を得ることができるため、ディフレクタ３３０ひいてはエアバッグ装置３００全体の軽量化および小型化を図ることができる。
【００３５】
ここで一般に、膨張展開用ガスに含まれる残渣は、インフレータ１２０・３２０の内部に設けられたフィルタ（不図示）によって大部分が除去されるが、除去しきれなかった残渣がエアバッグ１１０・３１０の展開時や展開後の収縮時に出てくることがある。これに対し、本実施形態のように膨張展開用ガスが最初に衝突する領域にメッシュ１３４・３３４を設けることにより、フィルタにて除去しきれなかった残渣がメッシュ１３４・３３４の細かい隙間に捕捉され、残渣が取り除かれる。したがって、高温の膨張展開用ガスによるディフレクタ１３０・３３０へのダメージを抑制しつつ、エアバッグ１１０・３１０の展開時や展開後の収縮時に発生する残渣の量を減少させることが可能である。
【００３６】
また本実施形態では、図４（ａ）に例示するように、メッシュ３３４のインフレータ３２０に面する側には、その面を被覆するカバー３３６が設けられている。これにより、ディフレクタ３３０とカバー３３６との間にメッシュ３３４を容易に収容可能となる。なお、本実施形態においてはカバー３３６を設けたが、これに限定するものではなく、カバー３３６を設けない構成とすることもでき、その場合においても、メッシュ３３４はディフレクタ３３０に直接縫付可能である。
【００３７】
上記のカバー３３６は膨張展開用ガスで溶融する素材によって構成されるとよい。これにより、エアバッグ３１０の膨張展開時に、インフレータ３２０に面する側においてメッシュ３３４が露出しやすくなるため、上述した膨張展開用ガスに含まれる残渣の捕捉効果を高めることができる。また第１実施形態のように、カバー３３６に、少なくともメッシュの一部が露出するように開口部（不図示）を設けることによっても、上記と同様に残渣の捕捉効果を高めることが可能である。
【００３８】
更に本実施形態では、ディフレクタ３３０は、エアバッグ３１０に支持されて当該ディフレクタ３３０の基体となる布製のソックから構成される。上記説明したように、ディフレクタ３３０において膨張展開用ガスが最初に衝突する領域は、メッシュ３３４によって膨張展開用ガスに対する高い強度が確保される。このため、ディフレクタ３３０において膨張展開用ガスが最初に衝突する領域以外の部分、すなわちディフレクタ３３０の基体を布製のソックにより構成することができる。この布製のソックにおいても従来のように何重ものの布を重ねる必要がないため、ディフレクタ３３０ひいてはエアバッグ装置３００全体の大幅な軽量化を図ることが可能である。またカバー３３６をこの布製のディフレクタ３３０（布製のソック）と同じ材質で形成すれば、資材を統一し、コストの削減を図ることも可能である。
【００３９】
以上、添付図面を参照しながら本発明の好適な実施形態について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００４０】
したがって、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４１】
本発明は、車両における事故発生時に膨張展開して乗員を保護するエアバッグ装置に利用することができる。
【図１】
2013094545.tif 000003
【図２】
2013094545.tif 000004
【図３】
2013094545.tif 000005
【図４】
2013094545.tif 000006
【国際調査報告】
2013094545.tif 000007
2013094545.tif 000008
2013094545.tif 000009
2013094545.tif 000010